(57)【要約】【課題】  両側部分に設けられる接合部により十分な強度で襞を固定できると共に、襞の広がりを阻害することなく、十分に口元の空間を確保できるマスクの提供。【解決手段】  マスク１は、不織布単層または複数の不織布が積層されたマスク本体２と、マスク本体２を横方向に沿った山折部１５と谷折部１６によって九十九折り状に折り畳んで縦方向Ｘに並設された複数の襞部１１〜１４と、複数の襞部１１〜１４のそれぞれの両側部分に設けられ、折り畳まれたマスク本体２を縦方向Ｘに対して所定の角度θを有した斜め方向のライン状に接合する接合部１０と、を具備する。【選択図】図１
2018083988.tif 000002
【特許請求の範囲】
【請求項１】
不織布単層または複数の不織布が積層されたマスク本体と、前記マスク本体の左右両側部分に設けられた装着者の顔に前記マスク本体を固定するための固定部とを備えるマスクであって、
前記マスク本体は、横方向に沿った山折部と谷折部によって九十九折り状に折り畳んで縦方向に並設された複数の襞部と、
前記複数の襞部のそれぞれの両側部分に設けられ、折り畳まれた前記マスク本体を前記縦方向に対して所定の角度を有した斜め方向のライン状に接合する接合部と、
を具備することを特徴とするマスク。
【請求項２】
前記接合部は、前記マスク本体の中央側に向けた前記ライン状に形成されていることを特徴とする請求項１に記載のマスク。
【請求項３】
前記接合部は、前記山折部から前記谷折部に向かって前記斜め方向に形成されていることを特徴とする請求項２に記載のマスク。
【請求項４】
前記接合部は、前記マスク本体の中央側に向けて、前記山折部から前記谷折部に向かった距離が長くなるように形成されていることを特徴とする請求項３に記載のマスク。
【請求項５】
前記接合部は、複数の溶着スポットにより前記ライン状に形成されていることを特徴とする請求項１から請求項４のいずれか１項に記載のマスク。
【発明の詳細な説明】
【技術分野】
【０００１】
本発明は、例えば、防塵用や防花粉用に使用されるマスクに関する。
【背景技術】
【０００２】
従来、防塵用、防花粉用などに使用されるマスクは、埃、花粉などの微粒子の鼻および口からの吸い込みを防ぐために、装着するユーザの顔との密着性を高めることが重要とされている。また、マスクは、ユーザによる呼吸がし易く、且つ蒸れなどの不快感を軽減するため、鼻および口元の空間を十分に保つことが要求されている。
【０００３】
そのため従来のマスクでは、縦方向に縦列された横方向に向けて折り畳まれた複数の襞を有する不織布の左右両側部分を接合したものが周知である。このような従来のマスクは、中央部分を縦方向に沿った上下方向に引っ張ると、襞が広がり、ドーム状になるため、口元に空間を形成することができる。
【０００４】
ところで、従来のマスクは、襞をできる限り広げるために、両側部分の接合部の面積を小さくしたり、接合点数を減らしたりすると、接合部の強度が弱くなり、襞を広げた際に接合部が剥がれてしまう。
【０００５】
また、従来のマスクは、両側部分の接合部の点数を減らした疎状態にすると、襞の山折目および谷折目の固定が安定せず、肌当たりが悪くなると共に、見た目も悪くなる。
【０００６】
一方、両側部分の接合部の点数を増やしたり、複数列に配列したり、短冊状の不織布を２つ折りにして両側部分を挟むように接合して両側部分の接合部の強度を高めると硬く柔軟性に欠けるため、頬との密着性や肌当たりが悪くなる。
【０００７】
これらの問題を解決するため、従来のマスクにおける、両側部分の接合部の構成について種々の提案がなされており、例えば、特許文献１および特許文献２に開示されている。  
特許文献１には、複数の襞が形成された不織布の左右両側部に、マスクの縦方向に延び且つマスクの縦中心線に向かって凸状形状の連続または不連続の接合ラインを形成したマスクの技術が開示されている。
【０００８】
また、特許文献２には、両側縁部に点状の溶着部である溶着点が等間隔にかつ１列に形成されて、それら溶着点の列により形成される接合線を上下方向に並んだ２つの円弧部状に形成したマスクの技術が開示されている。
【先行技術文献】
【特許文献】
【０００９】
【特許文献１】特開２００７−９７９０４号公報
【特許文献２】特開２０１３−１７６６８０号公報
【発明の概要】
【発明が解決しようとする課題】
【００１０】
しかしながら、上記特許文献１および上記特許文献２に開示されるような従来のマスクは、両側部分の接合部が中央側に寄っているため、襞の広がりを阻害してしまい、十分に口元の空間が形成され難いという問題があった。
【００１１】
そこで、本発明は、上述した事情に鑑みてなされたものであって、両側部分に設けられる接合部により十分な強度で襞を固定できると共に、襞の広がりを阻害することなく、十分に口元の空間を確保できるマスクを提供することを目的とする。
【課題を解決するための手段】
【００１２】
本発明の一態様のマスクは、不織布単層または複数の不織布が積層されたマスク本体と、前記マスク本体の左右両側部分に設けられた装着者の顔に前記マスク本体を固定するための固定部とを備えるマスクであって、前記マスク本体は、横方向に沿った山折部と谷折部によって九十九折り状に折り畳んで縦方向に並設された複数の襞部と、前記複数の襞部のそれぞれの両側部分に設けられ、前記折り畳まれた前記マスク本体を前記縦方向に対して所定の角度を有した斜め方向のライン状に接合する接合部と、を具備する。
【発明の効果】
【００１３】
本発明によれば、両側部分に設けられる接合部により十分な強度で襞を固定できると共に、襞の広がりを阻害することなく、十分に口元の空間を確保できるマスクを提供できる。
【図面の簡単な説明】
【００１４】
【図１】本発明の一態様のマスクの構成を示す平面図
【図２】同、マスクの右側部の構成を示す拡大図
【図３】同、図２のＩＩＩ−ＩＩＩ線に沿った断面図
【図４】同、上部側に設けられる接合部の構成を説明するための模式図
【図５】同、下部側に設けられる接合部の構成を説明するための模式図
【図６】同、マスクを装着した状態を示す斜視図
【図７】同、第１の変形例の接合部の構成を説明するための模式図
【図８】同、第２の変形例の接合部の構成を説明するための模式図
【図９】同、第３の変形例の接合部の構成を説明するための模式図
【図１０】同、第４の変形例のマスクの構成を示す平面図
【図１１】同、第５の変形例のマスクの構成を示す断面図
【図１２】同、第６の変形例のマスクの構成を示す断面図
【発明を実施するための形態】
【００１５】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。また、以下の説明においては、図の紙面に向かって見た上下左右方向を構成要素の上方、下方、左方および右方として説明している。
【００１６】
先ず、本発明の一態様のマスクについて、図面に基づいて、以下に詳しく説明する。  
図１は、本実施の形態の一態様のマスクの構成を示す平面図、図２はマスクの右側部の構成を示す拡大図、図３は図２のＩＩＩ−ＩＩＩ線に沿った断面図、図４は上部側に設けられる接合部の構成を説明するための模式図、図５は下部側に設けられる接合部の構成を説明するための模式図、図６はマスクを装着した状態を示す斜視図である。
【００１７】
図１に示すように、マスク１は、例えば、防塵用や防花粉用に使用されるもので、マスク本体２と、マスク本体２の左右両側部から環状に取り付けられたゴム紐などの２つの耳掛部３と、を備えている。２つの耳掛部３は、それらの端部がマスク本体２の側部の図中の横方向のセンターを示すＸ軸に沿った上下方向の両側部分に超音波溶着機などで溶着加工された溶着部４により接合されている。
【００１８】
マスク本体２は、２層以上の複数の不織布から形成された表面横長の矩形状となっている。これら複数の不織布は、上下部分が超音波溶着機などによって溶着加工された、図中の縦方向のセンターを示すＹ軸と平行に左右方向に延びる断続的な複数のシール線５によって接合されている。
【００１９】
そして、マスク本体２は、上方側の２つのシール線５の間に、積層する複数の不織布の間に空間が形成され、この空間内にノーズフィッター６が配設されている。また、マスク本体２は、ノーズフィッター６の両端部から所定の距離で離間する部分に、空間内に収容されたノーズフィッター６をズレないように保持するために超音波溶着機などによって溶着加工された２つのシール部７が配設されている。
【００２０】
なお、ノーズフィッター６は、ユーザである装着者が鼻と口を覆うようにマスク１を装着した際に、マスク本体２の上部分が装着者の鼻の凹凸形状に沿う形状を維持するため、例えば樹脂製の薄板から形成されている。
【００２１】
ここでのマスク本体２には、例えばメルトブローン不織布、スパンボンド不織布、サーマルボンド不織布、スパンレース不織布が用いられ、これら種々の不織布が組み合わされて積層されている。勿論、マスク本体２は、通気性などを考慮した一種類の不織布を複数積層した構成としてもよいし、単層としてもよい。
【００２２】
また、マスク本体２は、図２および図３に示すように、Ｘ軸に沿った上下方向となる縦方向に向けて所定の間隔で並設するように、Ｙ軸方向に沿った左右方向に沿って所謂九十九折り状に折り畳まれた山折部１５と谷折部１６を有する、複数、ここでは４つの第１、第２、第３および第４の襞部１１，１２，１３，１４が形成されている。
【００２３】
なお、ここでは、これら第１、第２、第３および第４の襞部１１，１２，１３，１４のうち、縦センターとしてのＹ軸よりも上方側の位置にある、２つの第１および第２の襞部１１，１２の上方の折目がそれぞれ山折部１５となり、下方の折目がそれぞれ谷折部１６となっている。
【００２４】
また、縦センターとしてのＹ軸よりも下方側の位置にある、２つの第３および第４の襞部１３，１４の下方の折目がそれぞれ山折部１５となり、上方の折目がそれぞれ谷折部１６となっている。
【００２５】
即ち、本実施の形態の記載では、マスク本体２が展開したときに、これら４つの第１、第２、第３および第４の襞部１１，１２，１３，１４を側方から見て装着者に対して外側に山形状と谷形状が形成される折目に基づいて山折部１５と谷折部１６が定義されている。
【００２６】
マスク本体２は、九十九折り状に折り畳まれた状態において、中央部分に第２および第３の襞部１２，１３の山折部１５によって形成されるＹ軸に沿った左右方向に延設された横長平面状の中央シート部２１が形成される。
【００２７】
また、マスク本体２は、九十九折り状に折り畳まれた状態において、中央シート部２１の上方側に、この中央シート部２１に襞部１２の谷折部１６を含む下方一部分が装着側で重畳するＹ軸に沿った左右方向に延設された横長平面状の第１の上方シート部２２が形成される。
【００２８】
さらに、マスク本体２は、九十九折り状に折り畳まれた状態において、第１の上方シート部２２の上方側に、この第１の上方シート部２２に襞部１１の谷折部１６を含む下方一部分が装着側で重畳するＹ軸に沿った左右方向に延設された横長平面状の第２の上方シート部２３が形成される。なお、この第２の上方シート部２３には、上述した耳掛部３の端部を上部側で溶着する溶着部４およびノーズフィッター６が配設されている。
【００２９】
また、マスク本体２は、九十九折り状に折り畳まれた状態において、中央シート部２１の下方側に、この中央シート部２１に襞部１３の谷折部１６を含む上方一部分が装着側で重畳するＹ軸に沿った左右方向に延設された横長平面状の第１の下方シート部２４が形成される。
【００３０】
さらに、マスク本体２は、第１の下方シート部２４の下方側に、この第１の下方シート部２４に襞部１４の谷折部１６を含む下方一部分が装着側で重畳するＹ軸に沿った左右方向に延設された横長平面状の第２の下方シート部２５が形成される。なお、この第２の下方シート部２５には、上述した耳掛部３の端部を下部側で溶着する溶着部４が配設されている。
【００３１】
これら各シート部２１，２２，２３，２４，２５は、第１、第２、第３および第４の襞部１１，１２，１３，１４の互いに重畳する両側部分が超音波溶着機などによる溶着加工された接合ラインとして、複数、ここでは左右合計８つの接合部１０によって接合されている。即ち、積層された複数の不織布のシートは、第１、第２、第３および第４の襞部１１，１２，１３，１４によって重畳された両側部分のそれぞれが接合部１０によって接合されている。
【００３２】
ここで、接合部１０の構成について、以下に詳しく説明する。  
図４および図５に示すように、接合部１０は、超音波溶着機などにより溶着加工された複数、ここでは４つの溶着スポット１０ａ，１０ｂ，１０ｃ，１０ｄによって断続的なライン状として形成されている。なお、図４および図５は、マスク本体２の右側部のみを示している。
【００３３】
これら４つの溶着スポット１０ａ，１０ｂ，１０ｃ，１０ｄは、マスク本体２の左右の側部方向から中央側に向けて順に、山折部１５からの距離Ｌ１，Ｌ２，Ｌ３，Ｌ４が長く（Ｌ１＜Ｌ２＜Ｌ３＜Ｌ４）なるように、図１に示した、マスク本体２の横センターを示すＸ軸と縦センターを示すＹ軸が交差する中心Ｏ方向に斜めのラインを形成するように配設されている。
【００３４】
即ち、マスク１は、図１に示した、Ｘ軸に沿った上下方向に沿って、マスク本体２の中央側に向けて、山折部１５からの距離Ｌ１，Ｌ２，Ｌ３，Ｌ４が順に長く（Ｌ１＜Ｌ２＜Ｌ３＜Ｌ４）、かつＬ４が山折部１５から隣接する谷折部１６までの距離より短くなるように、４つの溶着スポット１０ａ，１０ｂ，１０ｃ，１０ｄが断続的な斜めのライン状となるように配設される。
【００３５】
つまり、溶着スポット１０ａ，１０ｂ，１０ｃ，１０ｄのうち、左右の側部に最も近い溶着スポット１０ａが山折部１５に対して最も近接した位置に配設され、左右の側部に最も遠い溶着スポット１０ｄが山折部に対して最も離間した位置に配設される。
【００３６】
こうして、マスク１は、マスク本体２の両側部において、第１、第２、第３および第４の襞部１１，１２，１３，１４の重畳する部分が、ここでは合計８つの接合部１０によって上下方向である縦方向のＸ軸に対して所定の角度θを有するように、マスク本体２の中央側に向けて斜めの断続的なライン状に接合される。なお、接合部１０は、左右方向である横方向のＹ軸に対しても所定の角度（９０−θ）を有していることは勿論である。
【００３７】
このように構成されたマスク１は、マスク本体２の両側部において、第１、第２、第３および第４の襞部１１，１２，１３，１４がそれぞれ重畳する部分が斜めの略直線のライン状の接合部１０によって接合されることで、Ｘ軸に平行な接合部によって接合するよりも接合部１０の長さが十分に確保できる構成となっている。
【００３８】
これにより、マスク１は、接合部１０の面積を十分に稼ぐことができ、第１、第２、第３および第４の襞部１１，１２，１３，１４の接合部１０による接合箇所が外れて襞部がバラけることがない十分な接合強度を有する構成とすることができる。
【００３９】
以上のように構成された本実施の形態のマスク１は、図６に示すように、装着者１００の鼻と口を覆うように第１、第２、第３および第４の襞部１１，１２，１３，１４が展開した状態で装着される。
【００４０】
このように展開したマスク１は、第１、第２、第３および第４の襞部１１，１２，１３，１４における両側重畳部分において、側部から中央側に向けて各接合部１０を山折部１５に対して離間する方向に斜めのライン状に設けているため、山折部１５の複数の不織布のシートが側部から中央側に向った接合部１０が形成されている所定の領域Ａの自由度が大きく動き易くなる。
【００４１】
これにより、マスク１は、各接合部１０をマスク本体２の中央側に向けた斜めのライン状に設けても、第１、第２、第３および第４の襞部１１，１２，１３，１４が広がり易くなる構成とすることができる。
【００４２】
以上に述べたように、本実施の形態のマスク１は、両側部分に設けられる接合部により十分な強度で襞を固定できると共に、襞の広がりを阻害することなく、十分に口元の空間を確保できる。
【００４３】
（第１の変形例）
図７は、第１の変形例の接合部の構成を説明するための模式図である。  
なお、図７に示すように、接合部１０は、マスク本体２の山折部１５の複数の不織布のシートが側部から中央側に向けた領域Ａが確保できれば、複数の溶着スポットが重なるような実線状のラインとしてもよい。
【００４４】
（第２の変形例）
図８は、第２の変形例の接合部の構成を説明するための模式図である。  
また、図８に示すように、接合部１０は、マスク本体２の山折部１５の複数の不織布のシートが側部から中央側に向けた領域Ａが確保できれば、凹形状の断続的な円弧ライン状としてもよい。勿論、接合部１０は、実線状の円弧ラインとしてもよい。
【００４５】
（第３の変形例）
図９は、第３の変形例の接合部の構成を説明するための模式図である。  
さらに、図９に示すように、接合部１０は、マスク本体２の山折部１５の複数の不織布のシートが側部から中央側に向けた領域Ａが確保できれば、凸形状の断続的な円弧ライン状としてもよい。勿論、接合部１０は、実線状の円弧ラインとしてもよい。
【００４６】
（第４の変形例）
図１０は、第４の変形例のマスクの構成を示す平面図である。  
なお、図１０に示すように、マスク１は、マスク本体２の両側部分の第１、第２、第３および第４の襞部１１，１２，１３，１４上に、各接合部１０よりも外方側となるＸ軸に沿った縦方向に延設された断続的なシール線９を有していてもよい。
【００４７】
（第５の変形例）
図１１は、第５の変形例のマスクの構成を示す断面図である。  
マスク１は、図１１に示すように、マスク本体２０
の下向きの襞の数を多くした構成としてもよいし、図示しないが図１１とは上下反対として、マスク本体２０の上向きの襞の数を多くした構成としてもよい。
【００４８】
なお、その他のマスク１の構成、特に接合部１０の構成は、上述した実施の形態または変形例と同じである。
【００４９】
（第６の変形例）
図１２は、第６の変形例のマスクの構成を示す断面図である。  
マスク１は、図１２に示すように、マスク本体２０がユーザの装着側から順に下方側に折り畳まれた同一方向の襞のみを有していてもよいし、図示しないが図１２とは反対に、マスク本体２０がユーザの装着側から順に上方側に折り畳まれた同一方向の襞のみを有していてもよい。
【００５０】
なお、本変形例においても、その他のマスク１の構成、特に接合部１０の構成は、上述した実施の形態または変形例と同じである。
【００５１】
以上に記載のマスク１は、花粉、ハウスダストなどの吸い込み防止用、風邪用、医療分野用、食品製造分野用、精密機器製造などのクリーンルーム用、各種製造業分野などの防塵用など種々の用途に用いることができる。
【００５２】
また、マスク１は、上記実施の形態および変形例に記載した４つの第１、第２、第３および第４の襞部１１，１２，１３，１４の数に限定されることなく、襞の数に制限されないものである。
【００５３】
さらに、以上の各実施の形態に記載した発明は、それら実施の形態および変形例に限ることなく、その他、実施段階ではその要旨を逸脱しない範囲で種々の変形を実施し得ることが可能である。
【符号の説明】
【００５４】
１…マスク
２…マスク本体
３…耳掛部
４…溶着部
５…シール線
６…ノーズフィッター
７…シール部
９…シール線
１０…接合部
１０ａ，１０ｂ，１０ｃ，１０ｄ…溶着スポット
１１，１２，１３，１４…第１〜第４の襞部
１５…山折部
１６…谷折部
２０…マスク本体
２１…中央シート部
２２…第１の上方シート部
２３…第２の上方シート部
２４…第１の下方シート部
２５…第２の下方シート部
１００…装着者
Ｌ１，Ｌ２，Ｌ３，Ｌ４…距離
θ…角度
Ａ…領域
Ｘ軸…横センター
Ｙ軸…縦センター
Ｏ…Ｘ軸とＹ軸が交差する中心
【図１】
2018083988.tif 000003
【図２】
2018083988.tif 000004
【図３】
2018083988.tif 000005
【図４】
2018083988.tif 000006
【図５】
2018083988.tif 000007
【図６】
2018083988.tif 000008
【図７】
2018083988.tif 000009
【図８】
2018083988.tif 000010
【図９】
2018083988.tif 000011
【図１０】
2018083988.tif 000012
【図１１】
2018083988.tif 000013
【図１２】
2018083988.tif 000014